(57)【要約】【課題】空調対象空間の幅に合わせてソックダクトの長さを変更しても、機外静圧が高くなることを抑制する空気調和装置の室内機を提供することを目的としている。【解決手段】第１の側面部に形成された吸込口、第２の側面部に形成された第１の吹出口及び複数の第２の吹出口を有し、第１の吹出口及び複数の第２の吹出口のうちの一方が開放され、他方が閉塞される箱状に形成された筐体と、筐体内に設けられ、吸込口から筐体内に空気を取り込み、第１の吹出口又は第２の吹出口から空気を吹き出す送風機と、筐体内に設けられ、送風機により筐体内に取り込まれた空気と冷媒とを熱交換させる室内熱交換器と、を備え、第１の吹出口の方が第２の吹出口よりも大きい。【選択図】図１
2015099000.tif 000002
【特許請求の範囲】
【請求項１】
第１の側面部に形成された吸込口、第２の側面部に形成された第１の吹出口及び複数の第２の吹出口を有し、前記第１の吹出口及び前記複数の第２の吹出口のうちの一方が開放され、他方が閉塞される箱状に形成された筐体と、
前記筐体内に設けられ、前記吸込口から前記筐体内に空気を取り込み、前記第１の吹出口又は前記第２の吹出口から空気を吹き出す送風機と、
前記筐体内に設けられ、前記送風機により前記筐体内に取り込まれた空気と冷媒とを熱交換させる室内熱交換器と、
を備え、
前記第１の吹出口の方が前記第２の吹出口よりも大きい
ことを特徴とする空気調和装置の室内機。
【請求項２】
前記複数の第２の吹出口は、
前記第１の吹出口の両側にそれぞれ形成されている
ことを特徴とする請求項１に記載の空気調和装置の室内機。
【請求項３】
前記複数の第２の吹出口は、
前記第１の吹出口の一方側に形成されている
ことを特徴とする請求項１に記載の空気調和装置の室内機。
【請求項４】
前記第１の吹出口及び前記第２の吹出口は、
前記第１の吹出口の上端の高さ位置と前記第２の吹出口の上端の高さ位置とが一致するように形成されている
ことを特徴とする請求項１〜３のいずれか一項に記載の空気調和装置の室内機。
【請求項５】
前記第１の側面部と前記第２の側面部とは、対向するように設けられ、
前記筐体の下面には、
前記第２の側面部側から前記第１の側面部側に向かうにしたがって下側に傾斜する傾斜面が形成されている
ことを特徴とする請求項１〜４のいずれか一項に記載の空気調和装置の室内機。
【請求項６】
前記筐体の上面は、水平面と平行に形成されている
ことを特徴とする請求項１〜５のいずれか一項に記載の空気調和装置の室内機。
【請求項７】
前記第２の側面部には、
打ち抜くことで前記第１の吹出口及び前記第２の吹出口が形成されるノックアウト部が設けられている
ことを特徴とする請求項１〜６のいずれか一項に記載の空気調和装置の室内機。
【請求項８】
前記ノックアウト部は、
第１の打ち抜き領域と、
前記第１の打ち抜き領域が設けられている部分に形成され、前記第１の打ち抜き領域よりも小さい第２の打ち抜き領域とを有している
ことを特徴とする請求項７に記載の空気調和装置の室内機。
【請求項９】
前記筐体内の前記室内熱交換器の下側に設けられ、ドレン水を貯留するドレンパンをさらに備え、
前記室内熱交換器は、
前記送風機よりも空気流れ方向の上流側に配置され、
前記筐体の下面側の内面は、
前記送風機側から前記ドレンパン側にかけて下側に傾斜している
ことを特徴とする請求項１〜８のいずれか一項に記載の空気調和装置の室内機。
【請求項１０】
前記第１の吹出口及び前記第２の吹出口は、円形状の開口面を有している
ことを特徴とする請求項１〜９のいずれか一項に記載の空気調和装置の室内機。
【請求項１１】
前記送風機のファンの出力を制御する制御装置をさらに備え、
前記制御装置は、
前記第１の吹出口が開放され、前記第２の吹出口が閉塞されているときに利用される第１の出力と、
前記第２の吹出口が開放され、前記第１の吹出口が閉塞されているときに利用される、前記第１の出力よりも大きい第２の出力とで前記送風機を運転可能である
ことを特徴とする請求項１〜１０のいずれか一項に記載の空気調和装置の室内機。
【請求項１２】
前記第１の吹出口及び前記複数の第２の吹出口のうちの開放されている方に取り付けられるソックダクトをさらに備え、
第１の長さを有する前記ソックダクトを取り付けるときには、前記第１の吹出口が開放されて前記第１の吹出口に前記ソックダクトが取り付けられ、
第１の長さよりも短い第２の長さを有する前記ソックダクトを取り付けるときには、前記第２の吹出口が開放されて前記第２の吹出口に前記ソックダクトが取り付けられる
ことを特徴とする請求項１〜１１のいずれか一項に記載の空気調和装置の室内機。
【発明の詳細な説明】
【技術分野】
【０００１】
本発明は、空気調和装置の室内機に関するものである。
【背景技術】
【０００２】
たとえば食品の加工工場などにおいて空調を行う場合には、室内機を工場に設置し、その室内機の吹出口から冷気を工場内に直接吹き出すようにすると、冷気が食品などに直接当たることで食品などが部分的に乾燥して品質が低下したり、冷気が直接作業者などに当たって作業者の快適性を損ねてしまったりする場合がある。そこで、室内機の吹出口に布などで構成されるソックダクト（ソックスダクト）を接続し、冷気を工場内に供給するようにした空気調和装置の室内機が提案されている（たとえば、特許文献１参照）。
【０００３】
特許文献１に記載の技術は、合成繊維、難燃性繊維などで形成された通気性のある袋状のソックダクトを室内機の吹出口に接続し、ソックダクトの表面から冷気を工場内などの空調対象空間に供給するようにしたものである。すなわち、室内機からソックダクトに送り込まれた冷気は、ソックダクトの表面から空調対象空間に染み出すように供給される。このソックダクトを介して冷気を供給する構成を採用することにより、室内機に形成された吹出口から直接、冷気を吹き出す構成の室内機よりも低速な冷気を吹き出すことができるとともに、工場内の空間に均一に冷気を供給することができる。
【先行技術文献】
【特許文献】
【０００４】
【特許文献１】特開２００９−４１８３６号公報（たとえば、図１及び図４参照）
【発明の概要】
【発明が解決しようとする課題】
【０００５】
特許文献１に記載の技術は、室内機に同一の径の吹出口を複数形成し、その複数の吹出口のそれぞれに同様の長さのソックダクトを接続することができるようになっている。なお、吹出口が同一径であるため、ソックダクトの径も同一の径である。ここで、空調対象空間の幅が、たとえば１８ｍ程度あった場合には、室内機の吹出口にはたとえば１５ｍ程度と長いソックダクトを接続することができる。一方、空調対象空間の幅が、たとえば１０ｍ程度と狭くなると、先ほどの１５ｍ程度の長さを有するソックダクトを設置することができない。そこで、長さの短い、たとえば７ｍ程度のソックダクトを取り付ける方法が考えられる。
【０００６】
しかし、空調対象空間の幅に合わせて、長さの短いソックダクトを取り付けると、その分、機外静圧が高くなってしまう。ここで、機外静圧とは、ソックダクトにおける静圧を指している。すなわち、特許文献１に記載の技術では、空調対象空間の幅に合わせて長さの短いソックダクトを取り付けると、その分、機外静圧が高くなって、風量が低下し、冷却能力を確保できなくなる場合があるという課題がある。
【０００７】
本発明は、以上のような課題を解決するためになされたもので、空調対象空間の幅に合わせてソックダクトの長さを変更しても、機外静圧が高くなることを抑制する空気調和装置の室内機を提供することを目的としている。
【課題を解決するための手段】
【０００８】
本発明に係る空気調和装置の室内機は、第１の側面部に形成された吸込口、第２の側面部に形成された第１の吹出口及び複数の第２の吹出口を有し、第１の吹出口及び複数の第２の吹出口のうちの一方が開放され、他方が閉塞される箱状に形成された筐体と、筐体内に設けられ、吸込口から筐体内に空気を取り込み、第１の吹出口又は第２の吹出口から空気を吹き出す送風機と、筐体内に設けられ、送風機により筐体内に取り込まれた空気と冷媒とを熱交換させる室内熱交換器と、を備え、第１の吹出口の方が第２の吹出口よりも大きいものである。
【発明の効果】
【０００９】
本発明に係る空気調和装置の室内機によれば、上記構成を有しているため、空調対象空間の幅に合わせてソックダクトの長さを変更しても、機外静圧が高くなることを抑制することができる。
【図面の簡単な説明】
【００１０】
【図１】本発明の実施の形態に係る空気調和装置の室内機の斜視図である。
【図２】本発明の実施の形態に係る空気調和装置の室内機を吸込口側から見た図である。
【図３】本発明の実施の形態に係る空気調和装置の室内機を一方の横側面側から見た図である。
【図４】本発明の実施の形態に係る空気調和装置の室内機を他方の横側面側から見た図である。
【図５】本発明の実施の形態に係る空気調和装置の室内機を上面部側から見た図である。
【図６】本発明の実施の形態に係る空気調和装置の室内機を下面部側から見た図である。
【図７】本発明の実施の形態に係る空気調和装置の室内機の空気流れ方向に平行な方向の縦断面図である。
【図８】本発明の実施の形態に係る空気調和装置の室内機の第１の吹出口が開放された状態の説明図である。
【図９】本発明の実施の形態に係る空気調和装置の室内機の２つの第２の吹出口が開放された状態の説明図である。
【図１０】本発明の実施の形態に係る空気調和装置の室内機に第１の長さを有するソックダクトを取り付け、空調対象空間に設置した状態の模式図である。
【図１１】図１０に示す模式図を上側から見た説明図である。
【図１２】本発明の実施の形態に係る空気調和装置の室内機に第１の長さよりも短い第２の長さを有するソックダクトを取り付け、空調対象空間に設置した状態の模式図である。
【図１３】図１２に示す模式図を上側から見た説明図である。
【図１４】第１の長さを有するソックダクトを取り付けた室内機及び第２の長さを有するソックダクトを取り付けた室内機の両方を同じ空調対象空間に設置した状態の模式図である。
【図１５】本発明の実施の形態に係る空気調和装置の室内機の変形例１である。
【図１６】本発明の実施の形態に係る空気調和装置の室内機の変形例２である。
【発明を実施するための形態】
【００１１】
以下、本発明の実施の形態を図面に基づいて説明する。
実施の形態．  
図１は、本実施の形態に係る空気調和装置の室内機１００の斜視図である。図２は、本実施の形態に係る空気調和装置の室内機１００を吸込口１１側から見た図である。図３は、本実施の形態に係る空気調和装置の室内機１００を一方の横側面側から見た図である。図４は、本実施の形態に係る空気調和装置の室内機１００を他方の横側面側から見た図である。図５は、本実施の形態に係る空気調和装置の室内機１００を上面部１Ｂ側から見た図である。図１〜図５を参照して、筐体１の各種構成について説明する。
本実施の形態に係る空気調和装置の室内機１００は、空調対象空間の幅に合わせてソックダクトの長さを変更しても、機外静圧が高くなることを抑制する改良が加えられたものである。
【００１２】
［構成説明］
室内機１００は、図示省略の室外機と冷媒配管とで接続されているものである。室内機１００は、室内機１００の外郭を構成する筐体１を有している。筐体１は、箱状に形成されているものであり、４つの横側面、上面部１Ｂ及び下面部１Ａを有している。なお、４つの横側面とは、空調対象空間（たとえば、食品加工工場内、室内、ビルの一室、倉庫など）内の空気を筐体１内に取り込む吸込口１１が形成された第１の側面部１ａと、筐体１内の空気をソックダクト（図１１〜図１５参照）に供給する吹出口１０が形成された第２の側面部１ｂと、第１の側面部１ａ及び第２の側面部１ｂと交差する第３の側面部１ｃ及び第４の側面部１ｄとである。
【００１３】
なお、第１の側面部１ａと第２の側面部１ｂとは対向するように設けられ、また、第３の側面部１ｃと第４の側面部１ｄとは対向するように設けられている。また、上面部１Ｂと下面部１Ａとは対向するように設けられている。さらに、第１の側面部１ａ及び第２の側面部１ｂの端部側と、第３の側面部１ｃ及び第４の側面部１ｄの端部側と、上面部１Ｂ及び下面部１Ａの端部側とは、交差するように設けられている。ここで、たとえば第２の側面部１ｂを正面と定義したとき、正面から筐体１を見た場合には、左側が第３の側面部１ｃであり、右側が第４の側面部１ｄであり、背面が第１の側面部１ａである。
【００１４】
筐体１は、第１の側面部１ａに形成された吸込口１１と、第２の側面部１ｂに形成された第１の吹出口１０Ａと第２の吹出口１０Ｂ１及び第２の吹出口１０Ｂ１とを有している。そして、筐体１は、第１の吹出口１０Ａと第２の吹出口１０Ｂ１及び第２の吹出口１０Ｂ１とのうちの一方が開放され、他方が閉塞される。すなわち、第１の吹出口１０Ａが開放されるとともに第２の吹出口１０Ｂ１及び第２の吹出口１０Ｂ１が閉塞される（図８参照）、又は、第２の吹出口１０Ｂ１及び第２の吹出口１０Ｂ１が開放されるとともに第１の吹出口１０Ａが閉塞される（図９参照）。
【００１５】
筐体１は、たとえば空調対象空間の天井面などに設置されるものである。そこで、筐体１には、空調対象空間の天井面に筐体１を取り付けるのに利用される吊下金具７Ａ、吊下金具７Ｂ、吊下金具７Ｃ及び吊下金具７Ｄが、たとえば筐体１の上部の四隅に設けられている。すなわち、本実施の形態では、吊下金具７Ａについては第３の側面部１ｃのうちの第１の側面部１ａ側の上端側に取り付けられ、吊下金具７Ｂについては第３の側面部１ｃのうちの第２の側面部１ｂ側の上端側に取り付けられているものを一例として示している。また、吊下金具７Ｃについては第４の側面部１ｄのうちの第２の側面部１ｂ側の上端側に取り付けられ、吊下金具７Ｄについては第４の側面部１ｄのうちの第１の側面部１ａ側の上端側に取り付けられているものを一例として示している。
【００１６】
食品加工工場などの空調対象空間の天井面は、一般的には、水平面と平行に形成されている。これに合わせて、筐体１の上面は、水平面と平行に形成されている。すなわち、筐体１の上面部１Ｂの上面側は、水平面と平行に形成されている。このように、筐体１の上面部１Ｂには、天井面と平行な平坦面が形成されている。このため、筐体１を空調対象空間の天井面に設置するにあたって、筐体１の上面と天井面との間に隙間が形成されないように筐体１を天井面に取り付けることができる。
【００１７】
また、筐体１には、後述する送風機３のファンの出力を制御することなどに利用される制御装置５０などが格納されている電装箱５が設けられている。電装箱５は、第３の側面部１ｃに取り付けられている。なお、電装箱５の上面もまた、筐体１の上面部１Ｂと同様に水平面と平行に形成されている。そして、筐体１が天井面に固定されたときにおいて、電装箱５の上面部分に空調対象空間の塵埃などが溜まらないように電装箱５は配置されている。すなわち、電装箱５は、電装箱５の上面が、筐体１の上面部１Ｂの高さ位置と一致して上面部１Ｂと連続するように第３の側面部１ｃに配置されている。
【００１８】
たとえば、空調対象空間が食品加工工場である場合においては、塵埃などが室内機１００の上面に堆積してしまうことは好ましくない。そこで、筐体１の上面部１Ｂ及び電装箱５の上面５０Ａを天井面と平行な平坦面とするとともに筐体１の上面部１Ｂの高さ位置と電装箱５の高さ位置とを一致させておくことで、筐体１を天井面に取り付けた際に、天井面と上面部１Ｂとの間の隙間の形成が抑制され、上面部１Ｂ及び上面５０Ａに塵埃が堆積してしまうことを抑制することができる。
【００１９】
図６は、本実施の形態に係る空気調和装置の室内機１００を下面部１Ａ側から見た図である。図７は、本実施の形態に係る空気調和装置の室内機１００の空気流れ方向に平行な方向の縦断面図である。図６及び図７を参照して室内機１００の各種構成について説明する。
【００２０】
室内機１００の筐体１内には、冷房運転時において蒸発器、暖房運転時において凝縮器（放熱器）として機能する室内熱交換器２と、室内機１００内に空気を取り込んだ後に室内機１００外に空気を放出し、後述するソックダクト１０１〜１０３に空気を供給する送風機３と、室内熱交換器２の下側に配置され、ドレン水を貯留するドレンパン４と、室内熱交換器２に付着している結露水がドレンパン４以外の部分に飛散してしまうことを抑制する露受け部８とが設けられている。
【００２１】
室内熱交換器２は、送風機３の作用によって筐体１内に取り込まれた空気と、自身の伝熱管を流れる冷媒とを熱交換させるものである。室内熱交換器２は、筐体１内に設けられている。より詳細には、室内熱交換器２は、筐体１内の送風機３の空気流れ方向の上流側の位置に立設するように配置されている。室内熱交換器２は、たとえば、複数平行に立設されたフィンと、当該フィンに接続され、冷媒が供給されるチューブとを有するフィンチューブ熱交換器などで構成するとよい。
【００２２】
送風機３は、筐体１内に設けられ、吸込口１１から筐体１内に取り込み、その後に第１の吹出口１０Ａ又は第２の吹出口１０Ｂ１及び第２の吹出口１０Ｂ２から吹き出すのに利用されるものである。送風機３は、室内熱交換器２よりも、空気流方向の下流側の位置に配置されている。なお、図示は省略しているが、送風機３は、たとえば、筐体１における第３の側面部１ｃと第４の側面部１ｄとの間の幅に応じて、この幅方向に並ぶように複数台設置される。送風機３は、たとえばシロッコファンなどで構成されるものである。送風機３は、図示省略の回転する羽根、羽根を回転させるモーター、及び羽根が収容されるファンケースなどから構成される。
【００２３】
ドレンパン４は、筐体１内の室内熱交換器２の下側に設けられ、室内熱交換器２などから滴下するドレン水を貯留するものであり、たとえば、樹脂などを予め設定された形状に形成して構成されるものである。
【００２４】
露受け部８は、室内熱交換器２の下部側であってドレンパン４の上側に付設されているものである。露受け部８は、室内熱交換器２に付着している結露水が、送風機３によって形成された空気の流れによって、筐体１内のドレンパン４よりも上流側の部分に飛散することを抑制するのに利用されるものである。
【００２５】
なお、筐体１における外側表面のうちの下面には、傾斜面が形成されている。すなわち、筐体１の下面部１Ａの下面には、第２の側面部１ｂ側から第１の側面部１ａ側に向かうにしたがって下側に傾斜する傾斜面が形成されている。本実施の形態では、この傾斜面として第１の傾斜面１Ａ１及び第２の傾斜面１Ａ２が筐体１に形成されている場合を例に説明する。
【００２６】
第１の傾斜面１Ａ１及び第２の傾斜面１Ａ２は、第３の側面部１ｃ側から第４の側面部１ｄ側にかけて延びるように形成されている。第１の傾斜面１Ａ１は、第２の傾斜面１Ａ２よりも第２の側面部１ｂ側に配置されている傾斜面である。また、第１の傾斜面１Ａ１の方が、第２の傾斜面１Ａ２よりも勾配がきつくなっている。そして、第１の傾斜面１Ａ１の方が、第２の傾斜面１Ａ２よりも、短手方向の幅が小さい。筐体１には、この第１の傾斜面１Ａ１及び第２の傾斜面１Ａ２が形成されているため、第１の側面部１ａ側から第２の側面部１ｂ側に向かうにしたがって筐体１の高さ幅が先細るようになっている。このため、筐体１が空調対象空間に設置された際に、空調対象空間に在室する者に圧迫感を与えてしまうことを抑制することができる。
【００２７】
なお、本実施の形態では、筐体１に第１の傾斜面１Ａ１及び第２の傾斜面１Ａ２を形成した場合を例に説明したが、それに限定されるものではない。たとえば、１つの傾斜面を形成した態様でもよいし、３つ以上の傾斜面を形成した態様であってもよい。また、平面状の傾斜面に限定されるものではなく、第１の側面部１ａ側から第２の側面部１ｂ側に向かうにしたがって筐体１の高さ幅が先細る曲面状の傾斜面が形成されていてもよい。
【００２８】
食品加工工場などでは、作業場などといった空調対象空間の温度として５度〜２２度程度とされる場合がある。食品加工工場では、食品の質が低下しないように、比較的低めの温度設定となっているということである。このため、食品加工工場などで室内機１００が利用される場合には、室内熱交換器２に供給される冷媒温度が、たとえば−１０度〜＋５度程度になる。このため、室内熱交換器２とともに筐体１内に配置されている送風機３の表面には、室内熱交換器２の冷熱による結露が発生する場合がある。
そこで、筐体１の下面側の内面は、送風機３側からドレンパン４側にかけて下側に傾斜している。すなわち、筐体１の下面側の内面に対応する筐体１の下面部１Ａの上面には、送風機３側からドレンパン４側にかけて下側に傾斜する傾斜面６が形成されている。これにより、送風機３に付着した結露水が滴下した際に、ドレンパン４側に水を流すことができる。なお、傾斜面６からドレンパン４に水を流しこみやすくするため、傾斜面の下端側の高さ位置が、ドレンパン４の高さ位置よりも高くなるように、筐体１の傾斜面６及びドレンパン４を構成してもよい。
【００２９】
筐体１の下面部１Ａのうちの送風機３の下側部分には、開閉自在に筐体１に設けられている開放パネル１ＡＡが設けられている。開放パネル１ＡＡを開放することで、サービスマンなどは、送風機３のメンテナンスなどを行うことができる。なお、開放パネル１ＡＡは、第２の傾斜面１Ａ２の一部を構成している。また、開放パネル１ＡＡは、傾斜面６の一部も構成している。
【００３０】
［動作説明］
室内機１００の冷房運転時の動作について説明する。図示省略の圧縮機で圧縮された冷媒は、室外機に配置され、凝縮器（放熱器）として機能する室外熱交換器に供給されて凝縮する。そして、室外熱交換器から流出した冷媒は、絞り装置で減圧された後に、蒸発器として機能する室内熱交換器２に供給される。室内熱交換器２で蒸発した冷媒は、再び、圧縮機に戻される。このように、室内機１００を有する空気調和装置は、圧縮機、凝縮器、絞り装置及び蒸発器で構成される冷凍サイクル回路に冷媒を流すことで冷房運転を実現する。暖房運転については、四方弁などで流路を切り換えることで実現することができる。なお、ここでは、冷房運転、暖房運転を実施することができる空気調和装置の室内機１００について説明したが、それに限定されるものではなく、冷房運転のみを実施する空気調和装置でもよい。
【００３１】
また、室内機１００は、室内熱交換器２に霜が付着して熱交換性能が低減することを抑制するようにオフサイクルデフロスト運転を実施することができる。オフサイクルデフロスト運転では、冷媒を流すのを止める、すなわち圧縮機の運転を停止し、送風機３を運転させる。圧縮機を停止し、送風機３を運転させることで、冷却された冷媒は供給されないが、空調対象空間の空気が室内熱交換器２に供給されて霜を溶かすことができる。なお、溶けた水、及び霜などは、ドレンパン４に落下する。
【００３２】
［吹出口などについて］
図８は、本実施の形態に係る空気調和装置の室内機１００の第１の吹出口１０Ａが開放された状態の説明図である。図９は、実施の形態に係る空気調和装置の室内機１００の２つの第２の吹出口１０Ｂ１及び第２の吹出口１０Ｂ２が開放された状態の説明図である。図８及び図９を参照して、第１の吹出口１０Ａ、第２の吹出口１０Ｂ１、第２の吹出口１０Ｂ２などについて説明する。
【００３３】
第１の吹出口１０Ａ、第２の吹出口１０Ｂ１及び第２の吹出口１０Ｂ２は、円形状の開口面を有している。そして、第１の吹出口１０Ａよりも、第２の吹出口１０Ｂ１及び第２の吹出口１０Ｂ２の方が径が小さい。また、第２の吹出口１０Ｂ１及び第２の吹出口１０Ｂ２は、第１の吹出口１０Ａの両側にそれぞれ形成されている。すなわち、第２の吹出口１０Ｂ１は、第１の吹出口１０Ａの一方側の脇に形成され、第２の吹出口１０Ｂ２は、第１の吹出口１０Ａの他方側の脇に形成されている。
【００３４】
第１の吹出口１０Ａの径は、たとえば４０ｃｍ程度とし、第２の吹出口１０Ｂ１及び第２の吹出口１０Ｂ２の径は、たとえば３０ｃｍ程度とするとよい。なお、径の値は、これらに限定されるものではなく、たとえば、第１の吹出口１０Ａを通過する風路の抵抗と、第２の吹出口１０Ｂ１を通過する風路の抵抗及び第２の吹出口１０Ｂ２を通過する風路の抵抗を合わせた抵抗とが等しくなるように、第１の吹出口１０Ａの径、第２の吹出口１０Ｂ１及び第２の吹出口１０Ｂ２の径を設定するとよい。
【００３５】
なお、第１の吹出口１０Ａ、第２の吹出口１０Ｂ１及び第２の吹出口１０Ｂ２は、円形状の開口面を有しているものとして説明するが、それに限定されるものではない。たとえば、多角形の開口面を有しているものであってもよいし、楕円形の開口面を有しているものであってもよい。また、第１の吹出口１０Ａが円形状の開口面を有し、第２の吹出口１０Ｂ１及び第２の吹出口１０Ｂ２が多角形の開口面を有するといったように、異なる形状の開口面を組み合わせてもよい。
【００３６】
さらに、第１の吹出口１０Ａよりも第２の吹出口１０Ｂ１及び第２の吹出口１０Ｂ２の径が小さければよい。このため、第２の吹出口１０Ｂ１の径と第２の吹出口１０Ｂ２の径とが異なっていてもよい。なお、同一径である方が、空調対照空間に冷気（暖気）を、より均一に供給することができる。
【００３７】
第１の吹出口１０Ａは、たとえば、第２の側面部１ｂの長手方向の幅の中央側及び短手方向の幅の中央側に形成される。また、第２の吹出口１０Ｂ１及び第２の吹出口１０Ｂ２は、第１の吹出口１０Ａを境として対照となるように形成されている。なお、第２の吹出口１０Ｂ１及び第２の吹出口１０Ｂ２は、対照に形成されていなくてもよい。なお、対照となっている方が、第２の吹出口１０Ｂ１の空気の吹き出し条件と第２の吹出口１０Ｂ２の空気の吹き出し条件とが等しくなって、空調対照空間に冷気（暖気）をより均一に供給することができる。
【００３８】
第２の側面部１ｂには、打ち抜くことで第１の吹出口１０Ａ、第２の吹出口１０Ｂ１及び第２の吹出口１０Ｂ２が形成されるノックアウト部が設けられている。なお、ノックアウト部は、室内機１００を設置する現場で簡単に穴（第１の吹出口１０Ａ、第２の吹出口１０Ｂ１及び第２の吹出口１０Ｂ２）が開けられるように形成されているものである。すなわち、ノックアウト部は、第１の吹出口１０Ａ、第２の吹出口１０Ｂ１及び第２の吹出口１０Ｂ２を閉塞するのに利用されるフタ部２１と、フタ部２１の周縁に設けられたミシン目部（図示省略）とを有している。フタ部２１は、室内機１００を設置するサービスマンなどに打ち抜かれる打ち抜き領域に対応するものである。
ここで、ミシン目部は、第１の吹出口１０Ａ、第２の吹出口１０Ｂ１及び第２の吹出口１０Ｂ２の円形状の縁部に対応する位置に設けられ、フタ部２１を第２の側面部１ｂに固定するものである。なお、ミシン目部の数は、特に限定されるものではないが、たとえば、フタ部２１の上端側と下端側に２つ配置する構成などとするとよい。また、ノックアウト部は、ミシン目部の代わりに、第２の吹出口１０Ｂ１及び第２の吹出口１０Ｂ２の円形状の縁部に対応する位置の板材（第２の側面部１ｂ）を薄く形成した態様であってもよい。
【００３９】
室内機１００を設置するサービスマンなどは、第１の吹出口１０Ａ、第２の吹出口１０Ｂ１及び第２の吹出口１０Ｂ２を塞いでいるフタ部２１を叩くことで、第２の側面部１ｂからフタ部２１が取れて第１の吹出口１０Ａ、第２の吹出口１０Ｂ１及び第２の吹出口１０Ｂ２を形成することができるようになっている。このため、室内機１００を設置するサービスマンの作業負担の抑制が図られている。なお、図８では、第１の吹出口１０Ａに取り付けられているフタ部２１を開放し、図９では、第２の吹出口１０Ｂ１及び第２の吹出口１０Ｂ２に取り付けられているフタ部２１を開放した状態を示している。このように、本実施の形態に係る室内機１００では、第１の吹出口１０Ａと、第２の吹出口１０Ｂ１及び第２の吹出口１０Ｂ２とのうちの一方が開放され、他方が閉塞される。
【００４０】
ノックアウト部を開放した後に、閉塞したい場合には、たとえば、フタ部２１を第１の吹出口１０Ａ、或いは第２の吹出口１０Ｂ１及び第２の吹出口１０Ｂ２の形成位置にネジ止めなどをして固定することで実現することができる。
また、本実施の形態では、ノックアウト部を利用して第１の吹出口１０Ａ、第２の吹出口１０Ｂ１及び第２の吹出口１０Ｂ２を形成する例を示したが、それに限定されるものではない。たとえば、予め第１の吹出口１０Ａ、第２の吹出口１０Ｂ１及び第２の吹出口１０Ｂ２を形成しておき、別途、これらの開口面を塞ぐ塞ぎ板を設置する態様であってもよい。たとえば、第１の吹出口１０Ａを開放する場合には、第２の吹出口１０Ｂ１及び第２の吹出口１０Ｂ２にこの塞ぎ板を設置すればよい。なお、ノックアウト部を利用する方は、穴を空けていない状態において室内機１００と一体となっていて、別々になっていないので、管理がしやすく、利便性がよい。
【００４１】
ここで、空調対象空間の天井面には、ソックダクト１０１に沿うようにカーテンレール９０が取り付けられ、このカーテンレール９０には、ソックダクト１０１〜１０３をカーテンレール９０につり下げる支持部品９１が取り付けられる（図１０及び図１２参照）。そこで、第１の吹出口１０Ａ、第２の吹出口１０Ｂ１及び第２の吹出口１０Ｂ２は、上端側の高さ位置が一致するように形成されている。すなわち、第１の吹出口１０Ａの上端の高さ位置と、第２の吹出口１０Ｂ１及び第２の吹出口１０Ｂ２の上端の高さ位置とが一致するように第１の吹出口１０Ａ、第２の吹出口１０Ｂ１及び第２の吹出口１０Ｂ２は第２の側面部１ｂに形成されている。なお、第１の吹出口１０Ａ、第２の吹出口１０Ｂ１及び第２の吹出口１０Ｂ２は、上端側の高さ位置は、図８の点線Ｈ−Ｈで示している。
これにより、第１の吹出口１０Ａにソックダクト１０１を接続した態様であっても（図１０及び図１１参照）、第２の吹出口１０Ｂ１及び第２の吹出口１０Ｂ２にソックダクト１０２及びソックダクト１０３を接続した態様であっても（図１２及び図１３参照）、ソックダクト１０１〜１０３を保持する支持部品９１は、長さを変えるために交換する必要がない。
【００４２】
ここで、第１の吹出口１０Ａ、第２の吹出口１０Ｂ１及び第２の吹出口１０Ｂ２の上端側の高さ位置が異なると、支持部品９１の長さをそれに応じて変える必要があり、コストアップ及び設置作業の負担の増大などの弊害がある。しかし、本実施の形態に係る空気調和装置の室内機１００において、第１の吹出口１０Ａ、第２の吹出口１０Ｂ１及び第２の吹出口１０Ｂ２は、上端側の高さ位置が一致するように形成されているため、上記弊害が抑制されるようになっている。
【００４３】
［設置例について］
図１０は、本実施の形態に係る空気調和装置の室内機１００に第１の長さを有するソックダクト１０１を取り付け、空調対象空間に設置した状態の模式図である。図１１は、図１０に示す模式図を上側から見た説明図である。図１２は、本実施の形態に係る空気調和装置の室内機１００に第１の長さよりも短い第２の長さを有するソックダクト１０２、１０３を取り付け、空調対象空間に設置した状態の模式図である。図１３は、図１２に示す模式図を上側から見た説明図である。なお、図１０〜図１３では、作業者２００が空調対象空間で作業をしている様子を模式的に示している。図１０〜図１３を参照して、室内機１００にソックダクト１０１〜１０３を取り付けた状態における設置例などについて説明する。
【００４４】
まず、ソックダクト１０１〜１０３について説明する。ソックダクト１０１は、第１の長さを有するものである。ここで言う、第１の長さとは、たとえば１０〜１５ｍ程度を指している。第１の長さを有するソックダクト１０１については、第１の吹出口１０Ａに取り付けられる。ソックダクト１０２及びソックダクト１０３は、第１の長さよりも短い第２の長さを有するものである。ここで言う、第２の長さとは、たとえば７ｍ〜１０ｍ程度を指している。第２の長さを有するソックダクト１０２については、第２の吹出口１０Ｂ１に取り付けられ、第２の長さを有するソックダクト１０３については、第２の吹出口１０Ｂ２に取り付けられる。
【００４５】
なお、第１の吹出口１０Ａに取り付けられるソックダクト１０１の径の方が、第２の吹出口１０Ｂ１及び第２の吹出口１０Ｂ２に取り付けられるソックダクト１０２の径及びソックダクト１０３の径よりも大きい。すなわち、室内機１００は、吹出口の大きさに比例して径が大きいソックダクトが取り付けられる。
【００４６】
ここで、ソックダクト１０１〜１０３とは、一端側が第１の吹出口１０Ａ、第２の吹出口１０Ｂ１及び第２の吹出口１０Ｂ２に取り付けられるように開放されており、他端側が閉塞されている布製部材である。すなわち、ソックダクト１０１〜１０３は、一端側が開放され、他端側が閉塞されている筒状の布製部材である。ソックダクト１０１〜１０３は、空調対象空間の天井に設置されたステンレス製のカーテンレール９０の長手方向に並ぶように取り付けられた支持部品９１に吊り下げられることで支持される。
【００４７】
ソックダクト１０１〜１０３に供給された空気は、布の隙間から空調対象空間に放出されるようになっている。このため、布の隙間から放出される空気は、空調対象空間に在室している作業者２００に風を感じさせにくく、ソックダクト１０１〜１０３を室内機１００に取り付けたもので空調運転を実施することで、空調対象空間に在室する作業者の快適性を損ねることを抑制することができるようになっている。また、ソックダクト１０１〜１０３は、食品加工工場の食品に風が直接あたりにくく、食品の乾燥を抑制でき、空気の対流が生じにくく、塵埃が舞ってしまうことを抑制でき、食品の品質の低下を抑制できる。
【００４８】
図１０及び図１１に示すように、室内機１００を設置するサービスマンは、たとえば空調対象空間の幅が第１の長さよりも長い場合には、第１の吹出口１０Ａのフタ部２１を叩いて開放し（図８参照）、第２の吹出口１０Ｂ１及び第２の吹出口１０Ｂ２については閉塞したままとし、第１の吹出口１０Ａにソックダクト１０１を取り付ける。
【００４９】
図１２及び図１３に示すように、室内機１００を設置するサービスマンは、空調対象空間の幅が第１の長さよりも短い場合には、第２の吹出口１０Ｂ１及び第２の吹出口１０Ｂ２のフタ部２１を叩いて開放し（図９参照）、第１の吹出口１０Ａについては閉塞したままとし、第２の吹出口１０Ｂ１及び第２の吹出口１０Ｂ２にソックダクト１０２及びソックダクト１０３を取り付ける。
【００５０】
なお、第１の吹出口１０Ａには、ソックダクト１０１を取り付けやすいように、第１の吹出口１０Ａの開口部分の縁部に沿うように円環状のフランジを形成するとよい。また、第２の吹出口１０Ｂ１及び第２の吹出口１０Ｂ２についても、円環状のフランジを開口部分の縁部に沿うように形成するとよい。そして、たとえばステンレス製のバンドなどをフランジの上からソックダクト１０１に取り付け、ソックダクト１０１のうちの第１の吹出口１０Ａ側の端部を固定するとよい。第２の吹出口１０Ｂ１及び第２の吹出口１０Ｂ２についても同様に、たとえばステンレス製のバンドなどをフランジの上からソックダクト１０２及びソックダクト１０３に取り付け、ソックダクト１０２のうちの第２の吹出口１０Ｂ１側の端部、及びソックダクト１０３のうちの第２の吹出口１０Ｂ２側の端部を固定するとよい。  
【００５１】
図１４は、第１の長さを有するソックダクト１０１を取り付けた室内機１００及び第２の長さを有するソックダクト１０１及びソックダクト１０２を取り付けた室内機１００の両方を同じ空調対象空間に設置した状態の模式図である。図１４を参照して室内機１００の設置例及びソックダクト１０１〜１０３の長さに応じて送風機３の出力を変化させることについて説明する。
【００５２】
図１４に示すように、空調対象空間に、第１の長さを有するソックダクト１０１を取り付けた室内機１００と、第２の長さを有するソックダクト１０２及びソックダクト１０３を取り付けた室内機１００とを併設することもできる。
図１４の紙面の上側の２台の室内機１００に示すように、梁、柱などの建物の障害物２０２がない箇所には、第１の長さを有するソックダクト１０１を取り付けた室内機１００を設置することができる。一方、図１４の紙面の下側の２台の室内機１００に示すように、障害物２０２がある箇所には、第２の長さを有するソックダクト１０２及びソックダクト１０３を取り付けた室内機１００を設置するとよい。また、図１４の紙面の一番下側の室内機１００に示すように、照明２０１がある箇所であっても、ソックダクト１０２とソックダクト１０３との間には一定の間隔が空けられているので、室内機１００を設置することができる。
【００５３】
ソックダクト１０１〜１０３の長さに応じて送風機３の出力を変化させることで使用範囲を広げることができる。つまり、第１の長さを有するソックダクト１０１を取り付けた場合と、第２の長さを有するソックダクト１０２及びソックダクト１０３を取り付けた場合とに応じて送風機３の出力を変化させるようにしてもよい。たとえば、第２の吹出口１０Ｂ１及び第２の吹出口１０Ｂ２の径をφ３００とし、そこに１５ｍ程度のソックダクト１０２及びソックダクト１０３を取り付けた場合、又は第１の吹出口１０Ａの径をφ４００とし、そこに１５ｍ程度のソックダクト１０１を取り付けた場合には、ソックダクト１０２及びソックダクト１０３の表面積、及びソックダクト１０１の表面積が大きく、風量が確保しやすいので送風機３の出力を低くする。また、第１の吹出口１０Ａの径をφ４００とし、そこに７ｍ程度のソックダクト１０１を取り付けた場合、又は第２の吹出口１０Ｂ１及び第２の吹出口１０Ｂ２の径をφ３００とし、７ｍ程度のソックダクト１０２及びソックダクト１０３を取り付けた場合には、ソックダクト１０２及びソックダクト１０３の表面積、及びソックダクト１０１の表面積が小さく、風量が確保しにくいので送風機３の出力を高くする。
【００５４】
そこで、制御装置５０は、第１の吹出口１０Ａが開放され、第１の長さを有するソックダクト１０１が第１の吹出口１０Ａに取り付けられているときに利用される第１の出力と、第１の吹出口１０Ａが開放され、第２の長さを有するソックダクト１０１が第１の吹出口１０Ａに取り付けられているときに利用される、第１の出力よりも大きい第２の出力とで送風機３を運転可能となるように構成するとよい。
【００５５】
すなわち、図１４に示すように４台の室内機１００がある場合には、紙面上側の２台の室内機についてはサービスマンなどが第１の出力で運転するモードに制御装置５０を設定し、紙面下側の２台の室内機１００についてはサービスマンなどが第２の出力で運転するモードに制御装置５０を設定すればよい。なお、ここでは第１の出力及び第２の出力の２段階の出力で運転するモードが制御装置５０に格納されている場合を一例に説明したが、それに限定されるものではない。たとえば、第１の長さ及び第２の長さ以外の長さのものを取り付けることを想定している場合には３段階以上の出力で運転することができる制御装置５０を設ければよい。
【００５６】
なお、制御装置５０は、３相電源をスター結線、デルタ結線の切り換えができるもので構成してもよいが、インバータを搭載したもので構成することで、出力の設定をよりきめ細かいものとすることができる。
【００５７】
［実施の形態に係る空気調和装置の室内機１００の効果］
本実施の形態に係る空気調和装置の室内機１００は、第２の吹出口１０Ｂ１及び第２の吹出口１０Ｂ２よりも、第１の吹出口１０Ａの方が開口面が大きい。そして、空調対象空間の幅が、たとえば第１の長さよりも長い場合には、第１の吹出口１０Ａを開放し、第２の吹出口１０Ｂ１及び第２の吹出口１０Ｂ２を閉塞し、第１の吹出口１０Ａにソックダクト１０１を取り付ける。一方、空調対象空間の幅が、たとえば、第１の長さよりも短い場合には、第２の吹出口１０Ｂ１及び第２の吹出口１０Ｂ２を開放し、第１の吹出口１０Ａを閉塞し、第２の吹出口１０Ｂ１及び第２の吹出口１０Ｂ２にソックダクト１０２及びソックダクト１０３を取り付ける。
【００５８】
このように、室内機１００では、空調対象空間の幅に合わせて、第１の長さを有するソックダクト１０１を取り付けることもできるし、第１の長さよりも短い第２の長さを有するソックダクト１０２及びソックダクト１０３を取り付けることもできる。ここで、第２の長さを有するソックダクト１０２及びソックダクト１０３のうちの一方のみを室内機１００に取り付けた場合には、長さが短い分、ソックダクト１０１を取り付けた場合と比較すると、機外静圧が高くなってしまう。なお、機外静圧とは、ソックダクト１０１〜１０３内における静圧を指している。しかし、室内機１００では、ソックダクト１０２及びソックダクト１０３の両方を併設できるものであるので、長さが短くても、機外静圧が高くなってしまうことが抑制される。すなわち、本実施の形態に係る空気調和装置の室内機１００では、第１の長さより短い第２の長さを有するものを室内機１００に取り付けても、機外静圧が高くなることが抑制されるため、風量が低下してしまうことを抑制され、冷却能力が低下してしまうことが抑制される。
【００５９】
また、室内機１００では、第１の吹出口１０Ａと比較すると第２の吹出口１０Ｂ１及び第２の吹出口１０Ｂ２の径は小さい。一方で、第１の吹出口１０Ａの開口面積よりも、第２の吹出口１０Ｂ１及び第２の吹出口１０Ｂ２の合計開口面積が大きい。このため、第１の吹出口１０Ａにおける機内静圧よりも、第２の吹出口１０Ｂ１及び第２の吹出口１０Ｂの双方を開放した場合の機内静圧の方が低くなる。すなわち、第１の長さより短い第２の長さを有するソックダクト１０２及びソックダクト１０３を室内機１００に取り付けた場合において、第１の吹出口１０Ａと比較すると第２の吹出口１０Ｂ１及び第２の吹出口１０Ｂ２の合計開口面積が大きいため、機内静圧が抑制される。したがって、本実施の形態に係る空気調和装置の室内機１００では、長さの短いソックダクト１０２及びソックダクト１０３を用いたとしても、機内静圧が抑制される分、風量が低下してしまうことを抑制され、冷却能力が低下してしまうことが抑制される。
【００６０】
［変形例１］
図１５は、本実施の形態に係る空気調和装置の室内機１００の変形例１（室内機１００Ａ）である。室内機１００Ａにおけるノックアウト部は、第１の打ち抜き領域と、第１の打ち抜き領域が設けられている部分に形成され、第１の打ち抜き領域よりも小さい第２の打ち抜き領域とを有している。ここで、第１の打ち抜き領域は、外側フタ部２２に対応するものであり、第２の打ち抜き領域は、内側フタ部２３に対応するものである。すなわち、第１の打ち抜き領域に対応する外側フタ部２２の内側には、第２の打ち抜き領域に対応する内側フタ部２３が設けられている。このようにすることで、第１の吹出口１０Ａ、第２の吹出口１０Ｂ１及び第２の吹出口１０Ｂ２の径を小さいものとしたい場合には、内側フタ部２３を打ち抜けばよいし、第１の吹出口１０Ａ、第２の吹出口１０Ｂ１及び第２の吹出口１０Ｂ２の径を大きいものとしたい場合には、外側フタ部２２及び内側フタ部２３の両方を打ち抜けばよい。すなわち、室内機１００Ａでは、第１の吹出口１０Ａ、第２の吹出口１０Ｂ１及び第２の吹出口１０Ｂ２の径を変更できるように構成されている。
なお、内側フタ部２３は、中央のもの（第１の吹出口１０Ａ）の方が、両脇のもの（第２の吹出口１０Ｂ１及び第２の吹出口１０Ｂ２）よりも大きい。また、外側フタ部２２及び内側フタ部２３についても、フタ部２１のように、ミシン目部としたり、第２の側面部１ｂを薄く形成したりする態様を採用することができる。
【００６１】
なお、図１５の点線Ｈ−Ｈで示すように、外側フタ部２２及び内側フタ部２３の両方を打ち抜いたときに形成される第１の吹出口１０Ａ、第２の吹出口１０Ｂ１及び第２の吹出口１０Ｂ２の上端側の高さ位置が一致している。これに加えて、点線Ｉ−Ｉで示すように、内側フタ部２３を打ち抜いたときに形成される第１の吹出口１０Ａ、第２の吹出口１０Ｂ１及び第２の吹出口１０Ｂ２の上端側の高さ位置も一致している。これにより、外側フタ部２２及び内側フタ部２３を打ち抜いた場合であっても、内側フタ部２３を打ち抜いた場合であっても、第１の吹出口１０Ａ、第２の吹出口１０Ｂ１及び第２の吹出口１０Ｂ２の上端側の高さ位置が一致し、支持部品９１の分のコストアップ及び設置作業の負担の増大などの弊害を抑制することができる。
【００６２】
［変形例２］
図１６は、本実施の形態に係る空気調和装置の室内機１００の変形例２（室内機１００Ｂ）である。図１６に示すように、第１の吹出口１０Ａ、第２の吹出口１０Ｂ１及び第２の吹出口１０Ｂ２の形成位置のそれぞれに、径の大きさがφ４００の外側フタ部２２及び径の大きさがφ３００の内側フタ部２３を設けた構成としてもよい。
室内機１００と同じ態様にしたい場合には、中央の外側フタ部２２及び内側フタ部２３を打ち抜き、両端の内側フタ部２３を打ち抜けばよい。また、室内機１００とは異なり、たとえば端のものの径を大きくしたい場合には、一方の端の外側フタ部２２及び内側フタ部２３を打ち抜き、中央の内側フタ部２３及び他方の端の内側フタ部２３を打ち抜けばよい。この室内機１００Ｂであっても、室内機１００と同様の効果を得ることができる。
【符号の説明】
【００６３】
１  筐体、１Ａ  下面部、１Ａ１  第１の傾斜面、１Ａ２  第２の傾斜面、１ＡＡ  開放パネル、１Ｂ  上面部、１ａ  第１の側面部、１ｂ  第２の側面部、１ｃ  第３の側面部、１ｄ  第４の側面部、２  室内熱交換器、３  送風機、４  ドレンパン、５  電装箱、６  傾斜面、７Ａ  吊下金具、７Ｂ  吊下金具、７Ｃ  吊下金具、７Ｄ  吊下金具、８  露受け部、１０  吹出口、１０Ａ  第１の吹出口、１０Ｂ１  第２の吹出口、１０Ｂ２  第２の吹出口、１１  吸込口、２１  フタ部、２２  外側フタ部、２３  内側フタ部、５０  制御装置、５０Ａ  上面、９０  カーテンレール、９１  支持部品、１００  室内機、１００Ａ  室内機、１００Ｂ  室内機、１０１  ソックダクト、１０２  ソックダクト、１０３  ソックダクト、２００  作業者、２０１  照明、２０２  障害物。
【図１】
2015099000.tif 000003
【図２】
2015099000.tif 000004
【図３】
2015099000.tif 000005
【図４】
2015099000.tif 000006
【図５】
2015099000.tif 000007
【図６】
2015099000.tif 000008
【図７】
2015099000.tif 000009
【図８】
2015099000.tif 000010
【図９】
2015099000.tif 000011
【図１０】
2015099000.tif 000012
【図１１】
2015099000.tif 000013
【図１２】
2015099000.tif 000014
【図１３】
2015099000.tif 000015
【図１４】
2015099000.tif 000016
【図１５】
2015099000.tif 000017
【図１６】
2015099000.tif 000018